(57)【特許請求の範囲】
【請求項１】
左右の鏡筒の接眼側端部に接眼枠が設けられ、これらの接眼枠に固定枠が設けられ、これらの固定枠にカムピンが設けられ、前記固定枠の外周に目当て環が回転自在に、かつ光軸方向にスライド自在に嵌合されるとともに、目当て環の周壁に備えたガイド溝に前記カムピンが嵌め込まれる双眼鏡目当て機構において、
ガイド溝は、観測者に最も近い位置から観測者から離れる方向に、第１螺旋溝を螺旋状に形成し、この第１螺旋溝の観測者側の端部に観測者側に凹んだ第１凹部を形成し、第１螺旋溝の観測者側から離れた端部に光軸に直交する方向に第１平行溝を形成し、この第１平行溝の端部に観測者側に凹んだ第２凹部を形成し、さらに第１平行溝の端部から観測者から離れる方向に、第２螺旋溝を螺旋状に形成し、第２螺旋溝の観測者側から離れた端部に光軸に直交する方向に第２平行溝を形成し、この第２平行溝の端部に観測者側に凹んだ第３凹部を形成し、
前記目当て環を、前記光軸を中心にして回転した際に、前記カムピンの案内により、目当て環を光軸方向にスライドさせ、かつ光軸方向の所定位置に段階的に固定するように前記ガイド溝が形成されたことを特徴とする双眼鏡目当て機構。
【発明の詳細な説明】
【技術分野】
【０００１】
本発明は、左右の鏡筒の接眼部側に目当て環を備えた双眼鏡目当て機構に関する。
【背景技術】
【０００２】
従来より、双眼鏡には、一般に左右の鏡筒の接眼部側に目当て機構が設けられている。この目当て機構は、環状の目当て環を左右の鏡筒の接眼部側に備え、この目当て環を接眼レンズから離れた方向に、すなわち使用者の手前側に突出可能に構成されている。
使用者が双眼鏡を覗く際に、目当て環を接眼レンズから離れた方向に突出させて、使用者の目の周囲に、目当て環を接触させて、接眼レンズと使用者の目との間隔を良好に保つ。
【０００３】
ここで、使用者が眼鏡を使用している場合には、双眼鏡を使用する際に、目当て環が眼鏡に接触して接眼レンズと使用者の目との間隔が離れすぎてしまう。
このため、目当て環は、通常、光軸を中心にした回転操作により、接眼レンズに近づける方向や、接眼レンズから離れる方向に移動可能に構成されている（例えば、特許文献１参照。）。
【特許文献１】特開２０００−３７９９号公報
【０００４】
特許文献１の双眼鏡目当て機構によれば、左右の鏡筒の接眼側端部に接眼枠を備え、接眼枠にカムピンを設け、このカムピンを目当て環のガイド溝に差し込み、目当て環を回転した際に、カムピンの案内で、目当て環を光軸方向にスライドさせ、繰り出し位置（すなわち、接眼レンズから最も離れた位置）と、引き込み位置（すなわち、接眼レンズに最も近づいた位置）とに静止（固定）することができる。
【発明の開示】
【発明が解決しようとする課題】
【０００５】
しかし、双眼鏡目当て機構によれば、目当て環を、接眼レンズから最も離れた位置と、接眼レンズに最も近づいた位置との２個所のみにしか固定することができない。
例えば、目当て環を、接眼レンズから最も離れた位置と、接眼レンズに最も近づいた位置との中間の位置に固定させて使用したい場合がある。
【０００６】
この場合、中間の位置に目当て環を仮に静止させおくことは可能である。しかし、この状態で、双眼鏡を使用すると、使用者の目の周囲が目当て環に接触して、目当て環が使用者の目の周囲で押され、接眼レンズに近づく方向に移動してしまう。
このため、観測者の状況に合わせた位置に、目当て環を配置することが難しく、この観点から改良の余地が残されていた。
【０００７】
本発明は、観測者の状況に合わせた位置に、目当て環を配置することができる双眼鏡目当て機構を提供することを目的とする。
【課題を解決するための手段】
【０００８】
前述した、目的を達成するために、本発明の双眼鏡目当て機構は、左右の鏡筒の接眼側端部に接眼枠が設けられ、これらの接眼枠に固定枠が設けられ、これらの固定枠にカムピンが設けられ、前記固定枠の外周に目当て環が回転自在に、かつ光軸方向にスライド自在に嵌合されるとともに、目当て環の周壁に備えたガイド溝に前記カムピンが嵌め込まれる双眼鏡目当て機構において、
ガイド溝は、観測者に最も近い位置から観測者から離れる方向に、第１螺旋溝を螺旋状に形成し、この第１螺旋溝の観測者側の端部に観測者側に凹んだ第１凹部を形成し、第１螺旋溝の観測者側から離れた端部に光軸に直交する方向に第１平行溝を形成し、この第１平行溝の端部に観測者側に凹んだ第２凹部を形成し、さらに第１平行溝の端部から観測者から離れる方向に、第２螺旋溝を螺旋状に形成し、第２螺旋溝の観測者側から離れた端部に光軸に直交する方向に第２平行溝を形成し、この第２平行溝の端部に観測者側に凹んだ第３凹部を形成し、
前記目当て環を、前記光軸を中心にして回転した際に、前記カムピンの案内により、目当て環を光軸方向にスライドさせ、かつ光軸方向の所定位置に段階的に固定するように前記ガイド溝が形成されたことを特徴とする。
【０００９】
本発明の双眼鏡目当て機構によれば、目当て環を光軸方向にスライドさせ、かつ光軸方向の所定位置に段階的に固定するようにガイド溝が形成されている。
よって、目当て環を複数個所に固定することが可能になり、観測者の状況に合わせた位置に、目当て環を配置することができる。
【発明の効果】
【００１０】
本発明の双眼鏡目当て機構によれば、観測者の状況に合わせた位置に、目当て環を配置することが可能になり、双眼鏡の使い勝手を一層高めることができるという効果が得られる。
【発明を実施するための最良の形態】
【００１１】
以下、本発明に係る実施形態を図面に基づいて詳細に説明する。図１は本発明に係る双眼鏡目当て機構を備えた双眼鏡の斜視図、図２は本発明に係る双眼鏡目当て機構を示す断面図、図３は本発明に係る双眼鏡目当て機構の目当て環を示す平面図である。
【００１２】
図１に示す双眼鏡１０は、左右の鏡筒（以下、「ボディ」という）１１，１２の対物側端部に左右の対物枠１３，１４が設けられ、左右の対物枠１３，１４に対物レンズユニット１５，１６が設けられ、左右のボディ１１，１２の接眼側端部に左右の接眼枠１７，１８が設けられ、左右の接眼枠１７，１８に接眼レンズユニット２４（図２に左側のユニットのみ示す）が設けられ、左右の接眼枠１７，１８に双眼鏡目当て機構２０が設けられ、左右のボディ１１，１２間に、焦点を調整する視度ツマミ２１が設けられている。
【００１３】
双眼鏡目当て機構２０は、左右の目当て手段２２，２３からなる。左右の目当て手段２２，２３は同じ構成なので、以下、左側の目当て手段２２のみを説明して、右側の目当て手段２３の説明を省略する。
接眼レンズユニット２４は、３個の接眼レンズ２４Ａ，２４Ｂ，２４Ｃからなる。
【００１４】
図２に示すように、目当て手段２２は、接眼枠１７に固定枠２５が設けられ、固定枠２５にカムピン２６が設けられ、固定枠２５に、目当て環２８が光軸２９を中心にして回転自在に、かつ光軸２９方向にスライド自在に嵌合されるとともに、目当て環２８に備えたガイド溝３０（図３参照）がカムピン２６に嵌め込まれている。
【００１５】
固定枠２５の外周には、Ｏリング３１が設けられている。このＯリング３１は、目当て環３０を摺動作動する際に、固定枠２５に対してガタがないように円滑にする役割を果たす。
目当て環２８は、弾性部材３２で覆われている。
【００１６】
図３に示すように、目当て環２８は、固定枠２５（図２参照）の外周に、光軸２９を中心にして回転自在に、かつ光軸２９方向にスライド自在に嵌合するように環状に形成された部材である。
この目当て環２８の周壁２８Ａには、ガイド溝３０が形成されている。
【００１７】
ガイド溝３０は、観測者に最も近い位置３５から観測者から離れる方向に、第１螺旋溝３６を螺旋状に形成し、この第１螺旋溝３６の観測者側の端部に観測者側に凹んだ第１凹部３７を形成し、第１螺旋溝３６の観測者側から離れた端部に光軸２９に直交する方向に第１平行溝３８を形成し、この第１平行溝３８の端部に観測者側に凹んだ第２凹部３９を形成し、さらに第１平行溝３８の端部から観測者から離れる方向に、第２螺旋溝４１を螺旋状に形成し、第２螺旋溝４１の観測者側から離れた端部に光軸２９に直交する方向に第２平行溝４２を形成し、この第２平行溝４２の端部に観測者側に凹んだ第３凹部４３を形成したものである。
【００１８】
以下、図４〜図６に基づいて双眼鏡目当て機構１０の動作について説明する。
図２および図４は、ガイド溝３０の第１螺旋溝３６の第１凹部３７にカムピン２６が位置した状態を示す。目当て環２８は、接眼レンズユニット２４（図２参照）に最も近づいた位置Ｐ１に静止されている。
この状態において、目当て環２８が使用者の目の周囲で矢印Ａの方向に押されても、第１凹部３７がカムピン２６に当接して、目当て環２８を位置Ｐ１に静止（固定）した状態を保つことができる。
【００１９】
目当て環２８を矢印Ｂのように光軸２９を中心にして回転することにより、ガイド溝３０がカムピン２６に案内されて矢印Ｃ方向、すなわち接眼レンズユニット２４（図２参照）から離れる方向に移動する。
【００２０】
図５（Ａ），（Ｂ）は、ガイド溝３０の第２平行溝４２の第３凹部４３にカムピン２６が位置した状態を示す。目当て環２８は、接眼レンズユニット２４（図２参照）から最も離れた位置Ｐ２に静止されている。
この状態において、目当て環２８が使用者の目の周囲で矢印Ａの方向に押されても、第３凹部４３がカムピン２６に当接して、目当て環２８を位置Ｐ２に静止（固定）した状態を保つことができる。
【００２１】
目当て環２８を矢印Ｄのように光軸２９を中心にして回転することにより、ガイド溝３０がカムピン２６に案内されて矢印Ｅ方向、すなわち接眼レンズユニット２４（図２参照）に近づく方向に移動する。
【００２２】
図６（Ａ），（Ｂ）は、ガイド溝３０の第１平行溝３８の第２凹部３９にカムピン２６が位置した状態を示す。目当て環２８は、位置Ｐ１と位置Ｐ２との間の中間位置Ｐ３に静止されている。
この状態において、目当て環２８が使用者の目の周囲で矢印Ａの方向に押されても、第２凹部３９がカムピン２６に当接して、目当て環２８を位置Ｐ３に静止（固定）した状態を保つことができる。
【００２３】
以上説明したように、双眼鏡目当て機構２０によれば、目当て環２８を回転した際に、カムピン２６の案内により、目当て環２８を光軸２９方向にスライドさせ、かつ光軸２９方向の所定位置に段階的に固定するようにガイド溝３０が形成されている。
よって、目当て環２８を位置Ｐ１〜Ｐ３の複数個所（３個所）に静止することが可能になり、観測者の状況に合わせた位置に、目当て環２８を配置することができる。
【００２４】
なお、前記実施形態では、目当て環２８を位置Ｐ１〜Ｐ３の３個所に段階的に静止（固定）させた例について説明したが、段階的な静止は３段階に限らないで、例えば４段階などの複数の段階に静止させるように構成することも可能である。
【図面の簡単な説明】
【００２５】
【図１】本発明に係る双眼鏡目当て機構を備えた双眼鏡の斜視図である。
【図２】本発明に係る双眼鏡目当て機構を示す断面図である。
【図３】本発明に係る双眼鏡目当て機構の目当て環を示す平面図である。
【図４】本発明に係る双眼鏡目当て機構の目当て環を位置Ｐ１に静止させた例を説明する図である。
【図５】本発明に係る双眼鏡目当て機構の目当て環を位置Ｐ２に静止させた例を説明する図である。
【図６】本発明に係る双眼鏡目当て機構の目当て環を位置Ｐ３に静止させた例を説明する図である。
【符号の説明】
【００２６】
１０  双眼鏡
１１  左鏡筒（左ボディ）
１２  右鏡筒（右ボディ）
１７  接眼枠
２０  双眼鏡目当て機構
２２  左側の目当て手段
２３  右側の目当て手段
２５  固定枠
２６  カムピン
２８  目当て環
２９  光軸
３０  ガイド溝
Ｐ１，Ｐ２，Ｐ３  目当て環の静止する位置
【図１】
0004843199.tif 000002
【図２】
0004843199.tif 000003
【図３】
0004843199.tif 000004
【図４】
0004843199.tif 000005
【図５】
0004843199.tif 000006
【図６】
0004843199.tif 000007